(57)【要約】【課題】  規格の異なる光ディスクであっても、適切にフロントモニタ制御を行ない、適切に光ディスクの情報を再生（記録）することを可能にする光ピックアップ装置等を提供することを目的とする。【解決手段】  光記録媒体に情報を記録／再生するための光ピックアップ装置において、ＤＶＤ用レーザ光を出射するＤＶＤ用レーザ１と、ＤＶＤ用レーザ光より短い波長を有するブルーレーザ光を出射するブルーレーザ２と、光記録媒体に照射されるＤＶＤ用レーザ光及びブルーレーザ光の光量を制御すべく、ＤＶＤ用レーザ光及びブルーレーザ光を検出するフロントモニタＦＭと、フロントモニタＦＭに検出されるブルーレーザ光の光量がＤＶＤ用レーザ光よりも大とする光学特性を有する立ちあげミラー５と、を有することを特徴とする。【選択図】  図１
2007226848.tif 000002
【特許請求の範囲】
【請求項１】
光記録媒体に情報を記録及び／又は再生するための光ピックアップ装置において、
第１の光を出射する第１の光源と、
前記第１の光源より短い波長を有する第２の光を出射する第２の光源と、
前記光記録媒体に照射される前記第１の光及び前記第２の光の光量を制御すべく、前記第１の光及び前記第２の光を検出する光量検出手段と、
前記光量検出手段にて検出される第２の光の光量が第１の光の光量よりも大とする光学特性を有する光学素子と、
を有することを特徴とする光ピックアップ装置。
【請求項２】
請求項１に記載の光ピックアップ装置において、
前記光学素子は、前記光量検出手段で検出される前記第２の光の光量が、前記光量検出手段で検出される前記第１の光の光量の１．５倍から８倍とする光学特性を有することを特徴とする光ピックアップ装置。
【請求項３】
請求項１に記載の光ピックアップ装置において、
前記光学素子は、前記光記録媒体に前記第１の光及び第２の光を導くための分岐素子であって、前記第１の光及び第２の光が入射する当該分岐素子の入射面に前記光学特性を有する光学多層膜が施されていることを特徴とする光ピックアップ装置。
【請求項４】
請求項３に記載の光ピックアップ装置において、
前記光学多層膜は、前記第２の光の透過率が前記第１の光の透過率の１．５倍〜８倍となる透過率特性を有することを特徴とする光ピックアップ装置。
【請求項５】
請求項３に記載の光ピックアップ装置において、
前記光学多層膜は、前記第１の光の透過率を５％とし、前記第２の光の透過率を２０％とする透過率特性を有することを特徴とする光ピックアップ装置。
【請求項６】
請求項１に記載の光ピックアップ装置において、
前記光学素子は、前記光量検出手段の前に配置された波長フィルタであることを特徴とする光ピックアップ装置。
【請求項７】
請求項１に記載の光ピックアップ装置において、
前記第１の光の波長は４００〜４２０ｎｍであり、前記第２の光の波長は６４０〜６８０ｎｍであることを特徴とする光ピックアップ装置。
【請求項８】
請求項１乃至請求項７のいずれか一項に記載の光ピックアップ装置と、
前記光量検出手段の出力に基づいて、前記第１の光及び第２の光の光量を制御する制御回路と、
を備えるたことを特徴とする情報記録及び／又は再生装置。
【発明の詳細な説明】
【技術分野】
【０００１】
本願は、光ピックアップ装置、及び当該光ピックアップ装置を備えた情報記録及び／又は再生装置の技術分野に属す。
【背景技術】
【０００２】
従来から、ＣＤ（Compact Disk）、ＤＶＤ（Digital Versatile Disc）等の異なる規格の光ディスクの再生（記録）を可能とした互換型情報再生（記録）装置が知られている。この互換型情報再生（記録）装置で各規格の光ディスクの情報を再生（記録）するには、波長の異なる夫々のレーザ光を適切に光ディスクに照射させるためにレーザ光の光量を制御するフロントモニタ制御が行われている（例えば、特許文献１参照。）。また、特許文献２にはフロントモニタの前面に波長感度補正板を配置させる手法が開示されている。
【特許文献１】特開２００３−１６２８３９号公報
【特許文献２】特開２００１−２３２１８号公報
【発明の開示】
【発明が解決しようとする課題】
【０００３】
ところで、近年短波長の光を出射するいわゆる青色光用光源（以下、ブルーレーザという。）及び当該ブルーレーザを使用して情報の再生（記録）を行う青色光用ディスクの開発が盛んに行なわれている。
【０００４】
しかしながら、これまでのＤＶＤ、ＤＣの再生（記録）を可能とした互換型情報再生（記録）装置において、この青色光用ディスクの再生（記録）を行おうとするとフロントモニタ制御が適切に行われなくなるという問題がある。
【０００５】
これは、フロントモニタ制御におけるＩＶ変換抵抗値が、各規格の光ディスクの情報を再生（記録）する夫々のレーザ光の波長に依存した値を有することに起因する。
【０００６】
すなわち、互換型情報再生（記録）装置におけるフロントモニタ制御では、再生（記録）の対象となる光ディスクの規格毎に異なる複数のＩＶ変換抵抗を有するフロントモニタ回路を備えることとなる。
【０００７】
つまり、ブルーレイ用レーザの光は、短波長であることから、上述したフロントモニタ制御におけるＩＶ変換抵抗値が他の規格の光ディスク（ＤＶＤやＣＤ）のＩＶ変換抵抗値に比して数倍の値を有することとなる。
【０００８】
このように、各規格の光ディスクのＩＶ変換抵抗値の差が大きいと、フロントモニタ制御に用いるフロントモニタ回路中のアンプで発生するオフセット電圧に変動が生じ、周波数特性にも影響を及ぼすなどの弊害を生じさせることとなる。そして、このような弊害によって適切に光ディスクの情報を再生（記録）が行なわれなくなるという問題があった。
【０００９】
そこで、本願は上記課題に鑑みてなされたものであり、規格の異なる光ディスクであっても、適切にフロントモニタ制御を行ない、適切に光ディスクの情報を再生（記録）することを可能にする光ピックアップ装置及び当該光ピックアップ装置を備えた情報記録及び／又は再生装置を提供することを目的の一例とする。
【課題を解決するための手段】
【００１０】
上記課題を解決するために、請求項１に記載の発明は、光記録媒体に情報を記録及び／又は再生するための光ピックアップ装置において、第１の光を出射する第１の光源と、前記第１の光源より短い波長を有する第２の光を出射する第２の光源と、前記光記録媒体に照射される前記第１の光及び前記第２の光の光量を制御すべく、前記第１の光及び前記第２の光を検出する光量検出手段と、前記光量検出手段にて検出される第２の光の光量が第１の光の光量よりも大とする光学特性を有する光学素子と、を有することを特徴とする。
【００１１】
上記課題を解決するために、請求項８に記載の発明は、請求項１乃至請求項７のいずれか一項に記載の光ピックアップ装置と、前記光量検出手段の出力に基づいて、前記第１の光及び第２の光の光量を制御する制御回路と、を備えたことを特徴とする。
【発明を実施するための最良の形態】
【００１２】
本実施形態は、一の光ディスク（以下、第１光ディスクと称する。）と、この第１光ディスクより再生（記録）に必要とされる光の波長が短い光ディスク（以下、第２光ディスクと称する。）との、２種類の光ディスクの再生（記録）が可能な互換型の情報再生（記録）装置に搭載される光ピックアップに本願発明を適用した場合の実施形態である。
【００１３】
より具体的には、第１の光としての６６０ｎｍ（ナノメートル）付近の光の波長を有するＤＶＤ用レーザによって再生（記録）が可能なＤＶＤを第１光ディスクとして用い、第２の光としての４０５ｎｍ（ナノメートル）付近の光の波長を有するいわゆるブルーレーザ光によって再生（記録）が可能な青色光用ディスクを第２光ディスクとして用いた光ピックアップに本願を適用した場合の実施形態である。
【００１４】
Ａ．光ピックアップの構造と動作を説明する。
【００１５】
先ず、光ピックアップ及び各光学部材について詳細に説明する。
【００１６】
図１は、光ピックアップの概略構成を示す図である。
【００１７】
図１に示すように、光ピックアップは、ＤＶＤの再生に用いるＤＶＤ用レーザ光を照射する第１の光源としてのＤＶＤ用レーザ１と、青色光用ディスクの再生に用いるブルーレーザ光を照射する第２の光源としてのブルーレーザ２とを光源として使用する。
【００１８】
ダイクロプリズム３Ａは、上記ＤＶＤ用レーザ１から照射されたＤＶＤ用レーザ光を透過させると共に、上記ブルーレーザ２から照射されたブルーレーザ光を反射させてビームスプリッタ３Ｂへ導く。
【００１９】
ビームスプリッタ３Ｂは、上記ＤＶＤ用レーザ１及び上記ブルーレーザ２から照射されたＤＶＤ用レーザ光及びブルーレーザ光を透過させてコリメータレンズ４へ導くと共に、光ディスクＤＫに反射されて戻ってきたＤＶＤ用レーザ光及びブルーレーザ光を反射させて、マルチレンズ８とディテクタ９とで構成される光検出手段へ導く。
【００２０】
コリメータレンズ４は、ＤＶＤ用レーザ光及びブルーレーザ光を平行光に調整し、立ちあげミラー５へ導く。
【００２１】
立ちあげミラー５は、光学素子および分岐素子の一例として機能し、その入射面５Ａに光学多層膜がコーティングされており、当該光学多層膜の波長依存特性に基づいてＤＶＤ用レーザ光及びブルーレーザ光の一部を光量検出手段としてのフロントモニタＦＭへ供給し、その他のＤＶＤ用レーザ光及びブルーレーザ光の一部を光ディスクＤＫへと供給する。
【００２２】
そして、対物レンズ６は、上記立ちあげミラー５より反射されたＤＶＤ用レーザ光及びブルーレーザ光を光ディスクＤＫの記録面に集光させる。
【００２３】
そして、上記立ちあげミラー５の入射面５Ａに施した光学多層膜コーティングの透過率に基づいて、ＤＶＤ用レーザ光の全光量のうちその一部の光量が立ちあげミラー５から対物レンズ６へと供給され、ブルーレーザ光の全光量のうちその一部が立ちあげミラー５から対物レンズ６へと供給されることになる。
【００２４】
なお、立ちあげミラー５の入射面５Ａに施した光学多層膜コーティングの透過率については後に詳述する。
【００２５】
１／４λ板７は、光ディスクＤＫの記録面で情報ピットにより変調されて反射されたＤＶＤ用レーザ光及びブルーレーザ光の偏光をＳ偏光としコリメータレンズ４へ誘導する。
【００２６】
そして、コリメータレンズ４は、光ディスクＤＫで反射されたＤＶＤ用レーザ光及びブルーレーザ光を透過させ、ビームスプリッタ３Ｂ及びマルチレンズ８を介してディテクタ９に誘導する。
【００２７】
そして、ディテクタ９は、光ディスクＤＫで反射されたＤＶＤ用レーザ光及びブルーレーザ光を受光し、受光強度に応じた信号を発生させる。
【００２８】
Ｂ．フロントモニタ制御
次に、フロントモニタ制御と立ちあげミラー５に施した光学特性とについて図を用いて説明する。
【００２９】
始めに、フロントモニタ制御について図１乃至図３を用いて説明する。図２は、実施形態に係る光ピックアップのうち、フロントモニタ制御にかかる部分のみを示す要部拡大図である。図３はフロントモニタＦＭの制御回路の説明図である。
【００３０】
通常、複数種類の光ディスクＤＫの再生（記録）が可能な光ピックアップに用いるフロントモニタＦＭは、夫々の光ディスクに応じた切換端子２０、２１を設けて感度の調節が行われる。
【００３１】
図３においては、何れかの光ディスクＤＫが情報再生（記録）装置に装填されると、切換スイッチＳＷによって切換端子２０、２１が制御される。図に示す例によれば、切換端子２０がＯＮとされると、ＩＶ変換抵抗Ｒ２が選択／接続され、他方切換端子２１がＯＮとされると、ＩＶ変換抵抗Ｒ１が選択／接続されることとなる。
【００３２】
ここで、フロントモニタＦＭのモニタ出力Ｐ（ＦＭ）について一般的構成について説明する。当該モニタ出力Ｐ（ＦＭ）は、当該フロントモニタＦＭの特性と光源から照射される光のパワー等によって決定される。
【００３３】
より具体的には、フロントモニタＦＭの光電変換効率をＳとし、ＩＶ変換抵抗の抵抗値をＲｉｖとし、光源からフロントモニタＦＭまでの光利用換効率をＥｆｍとし、光源から対物レンズ６までの光利用効率をＥｏｂとし、光源からのレーザパワーをＰとし、対物レンズ６からの対物出射パワーをＰ０とすると、モニタ出力Ｐ（ＦＭ）は次の数式１で表される。
【００３４】
【数１】
2007226848.tif 000003
このとき、光源からフロントモニタＦＭまでの光利用効率Ｅｆｍは立ちあげミラーの透過率Ｔを除けば、ＤＶＤ用レーザ光及びブルーレーザ光で略同程度であって、さらに、光源から対物レンズ６までの光利用効率Ｅｏｂは開口数ＮＡで決定される対物レンズ６の有効径を除けばＤＶＤ用レーザ光及びブルーレーザ光で略同程度であることが分かっている。つまり、Ｅｆｍ∝ Ｔであり、Ｅｏｂ∝ １／ＮＡ＊ＮＡである。
【００３５】
そしてこのことからモニタ出力Ｐ（ＦＭ）は立ちあげミラー５の入射面５Ａに施した光学多層膜コーティングの透過率をＴとすると、モニタ出力Ｐ（ＦＭ）は、次の数式２で示すように、透過率Ｔと比例することが分かる。
【００３６】
【数２】
2007226848.tif 000004
そして、上記モニタ出力Ｐ（ＦＭ）を各レーザ光で同等とするためには、少なくともブルーレーザ光におけるフロントモニタＦＭのＩＶ変換抵抗Ｒｉｖの値と、ＤＶＤ用レーザ光におけるフロントモニタＦＭのＩＶ変換抵抗Ｒｉｖの値との比を許容範囲内（例えば２倍程度）とする必要があるが、その一方で、上述した数式２及び図４に示す光ディスク規格やフロントモニタＦＭの感度で決定される値は、遵守されるべきものであるから、これらを変更することは容易ではない。
【００３７】
従って、立ちあげミラー５に施した光学多層膜の透過率Ｔを波長によって変更させることにより、各種レーザ光におけるモニタ出力Ｐ（ＦＭ）を略同等とする。例えば、上記ブルーレーザ光におけるフロントモニタＦＭのＩＶ変換抵抗Ｒｉｖの値と、ＤＶＤ用レーザ光におけるフロントモニタＦＭのＩＶ変換抵抗Ｒｉｖの値との比が７倍程度である場合には、このＩＶ変換抵抗Ｒｉｖの比をフロントモニタ制御における許容範囲内とするために、立ちあげミラー５に施した光学多層膜の透過率Ｔの波長依存性は、ブルーレーザ光の４０５ｎｍ帯（例えば、４００ｎｍ 〜４２０ｎｍ）の波長を有する光の透過率Ｔを、ＤＶＤ用レーザ光の６６０ｎｍ帯（例えば、６４０ｎｍ 〜６８０ｎｍ）の波長を有する光の透過率Ｔの約１．５倍〜８倍程度とする。
【００３８】
一例として、図５に示すような波長依存性を有する光学多層膜をコーティングする。すなわち、ＤＶＤ用レーザ光の６６０ｎｍ帯の波長を有する光の透過率Ｔが５％、ブルーレーザ光の４０５ｎｍ帯の波長を有する光の透過率Ｔが２０％となるような波長依存特性を有するような光学多層膜を立ちあげミラー５にコーティングする。なお、光ディスクで反射した光はＳ偏光で戻り、その戻り光量が増えるため、立ちあげミラーに入射するレーザービームの偏光方向は、Ｐ偏光であることが望ましい。その理由は、透過率を偏光方向に応じて、Ｔｐ、Ｔｓとすると、光学多層膜の特性は、Ｔｐ＞Ｔｓとなるからである。
【００３９】
このように構成することにより、フロントモニタＦＭに入射させる各種レーザ光のモニタ出力Ｐ（ＦＭ）の調節を行うことができ、フロントモニタ制御の精度を向上させることが可能になる。
【００４０】
なお、上述した実施の形態における光ピックアップは、ＤＶＤの再生に用いるＤＶＤ用レーザ光を照射するＤＶＤ用レーザ１と、青色光用ディスクの再生に用いるブルーレーザ光を照射するブルーレーザ２とを光源として使用したが、これには限られず、ＣＤの再生に用いるＣＤ用レーザ光を照射するＣＤ用レーザを光源として用いた３種類の光ディスクの再生（記録）が可能な互換型の情報再生（記録）装置に、本願発明を適用してもよい。
【００４１】
この場合でも、上述した手法と同様に、各種レーザ光におけるフロントモニタＦＭのＩＶ変換抵抗Ｒｉｖの比の許容範囲と、ＣＤ用レーザの規格値値等に基づいて、立ちあげミラー５に施した光学多層膜の波長依存性を決定すればよい。
【００４２】
また、上述した実施の形態における光ピックアップにおいて、立ちあげミラー５に波長依存性のある光学多層膜をコーティングし、フロントモニタＦＭに入射させる光量の調節を行ったが、これには限られず、例えば、図６に示す如く、ダイクロプリズム３Ａの接合面に波長依存性のある光学多層膜をコーティングするよう構成し、当該ダイクロプリズム３Ａから透過したブルーレーザ光と、ダイクロプリズム３Ａで反射されたＤＶＤ用レーザ光とが入射するようフロントモニタＦＭａをダイクロプリズム３Ａの側面に配置させてもよい。
【００４３】
また、上述した実施の形態における光ピックアップによれば、他の光学部材を追加することなく光ピックアップに必須の光学素子である立ちあげミラー５の入射面に光学多層膜をコーティングして光量調節を行ったため、省スペース設計を可能にするという効果もある。なお、上述した実施の形態においては、立ちあげミラー５に光学多層膜をコーティングしたが、例えば、フロントモニタＦＭの受光面に施しても差し支えない。
【００４４】
また、上述したような他の光学部材、例えば波長フィルタを、フロントモニタＦＭの前段に配置させて、フロントモニタＦＭに入射する光の光量を調節してもよい。
【００４５】
さらに、上述した光ピックアップを、情報記録装置または情報再生装置に搭載することにより、ブルーレイディスク、ＤＶＤ、ＣＤ等種々の規格の光ディスクの情報記録再生を行うことが可能になる。
【図面の簡単な説明】
【００４６】
【図１】実施形態に係る光ピックアップの概略構成を示す図である。
【図２】実施形態に係る光ピックアップの要部拡大図である。
【図３】フロントモニタＦＭの制御回路の説明図である。
【図４】各種レーザにおけるフロントモニタの規格の一例を示す表である。
【図５】光学多層膜の透過率の波長依存特性を示す図である。
【図６】実施形態に係る光ピックアップの他の構成例を示す図である。
【符号の説明】
【００４７】
１…ＤＶＤ用レーザ
２…ブルーレーザ
３Ａ…ダイクロプリズム
３Ｂ…ビームスプリッタ
４…コリメータレンズ
５…反射ミラー
６…対物レンズ
７…１／４λ板
８…マルチレンズ
９…ディテクタ
２０、２１…端子
Ｒ１、Ｒ２、Ｒｉｖ…ＩＶ変換抵抗
ＦＭ、ＦＭａ…フロントモニタ
Ｐ…レーザパワー
Ｔ…透過率
Ｐ０…対物出射パワー
Ｓ…光電変換効率
Ｒ１、Ｒ２、Ｒｉｖ…ＩＶ変換抵抗
ＤＫ…ディスク
Ｅｆｍ、Ｅｏｂ…光利用効率
ＳＷ…切換スイッチ
【図１】
2007226848.tif 000005
【図２】
2007226848.tif 000006
【図３】
2007226848.tif 000007
【図４】
2007226848.tif 000008
【図５】
2007226848.tif 000009
【図６】
2007226848.tif 000010